(57)【要約】      （修正有）【課題】広告情報を取得してから該広告情報の関連情報を取得するまでの時間を短縮することが可能な携帯端末機を提供する。【解決手段】操作部１０３が信号取得要求を受け付けると、カメラ１０４は、出力装置にて出力された可視光信号を取得する。制御部１０２は、カメラ１０４が取得した可視光信号から、広告情報の関連情報の格納先を特定する関連アドレスを抽出する。提示部１０６は、制御部１０２が取得した関連アドレスを表示部１２０に表示する。【選択図】図４
2007101587.tif 000002
【特許請求の範囲】
【請求項１】
広告情報と該広告情報の関連情報の格納先とを示す可視光信号を出力する出力装置から、前記可視光信号を取得する携帯端末機であって、
前記可視光信号を取得する旨の信号取得要求を受け付ける入力手段と、
前記入力手段にて前記信号取得要求が受け付けられると、前記可視光信号を取得する取得手段と、
前記取得手段にて取得された可視光信号から前記格納先を抽出する制御手段と、
前記制御手段にて抽出された格納先を表示する表示手段と、を含む携帯端末機。
【請求項２】
請求項１に記載の携帯端末機において、
前記携帯端末機は、前記格納先から前記関連情報を取得するサーバと接続され、
前記入力手段は、前記表示された格納先から前記関連情報を取得する旨の関連取得要求を受け付け、
前記入力手段にて前記関連取得要求が受け付けられると、前記関連取得要求を前記サーバに送信し、その後、前記サーバから前記関連情報を受信する送受信手段と、
前記送受信手段にて受信された関連情報を提示する提示手段と、を含む携帯端末機。
【請求項３】
請求項２に記載の携帯端末機において、
前記可視光信号は、前記広告情報の概要情報の格納先をさらに示し、
前記サーバは、前記概要情報の格納先から前記概要情報を取得し、
前記制御手段は、前記取得手段にて取得された可視光信号から前記関連情報の格納先および前記概要情報の格納先を抽出し、
前記送受信手段は、前記制御手段にて抽出された概要情報の格納先から前記概要情報を取得する旨の概要取得要求を前記サーバに送信し、その後、前記サーバから前記概要情報を受信し、
前記提示手段は、前記受信された概要情報と前記抽出された関連情報の格納先とを提示する、携帯端末機。
【請求項４】
請求項１ないし３のいずれか１項に記載の携帯端末機において、
前記可視光信号は、前記出力装置の設置場所から前記広告情報の広告対象の提供場所への道筋をさらに示し、
前記制御手段は、前記取得手段にて取得された可視光信号から前記道筋を抽出し、
前記提示手段は、前記制御手段にて抽出された道筋を提示する、携帯端末機。
【請求項５】
広告情報と該広告情報の関連情報の格納先とを示す可視光信号を出力する出力装置から、前記可視光信号を取得する携帯端末機が行なう情報処理方法であって、
前記可視光信号を取得する旨の信号取得要求を受け付ける入力ステップと、
前記入力ステップにて前記信号取得要求が受け付けられると、前記可視光信号を取得する取得ステップと、
前記取得ステップにて取得された可視光信号から前記格納先を抽出する抽出ステップと、
前記抽出ステップにて抽出された格納先を表示する表示ステップと、を含む情報処理方法。
【請求項６】
請求項５に記載の情報処理方法において、
前記携帯端末機は、前記格納先から前記関連情報を取得するサーバと接続され、
前記表示ステップにて表示された格納先から前記関連情報を取得する旨の関連取得要求を受け付ける受付ステップと、
前記受付ステップにて前記関連取得要求が受け付けられると、前記関連取得要求を前記サーバに送信する関連送信ステップと、
前記サーバから前記関連情報を受信する関連受信ステップと、
前記関連受信ステップにて受信された関連情報を提示する関連提示ステップと、を含む情報処理方法。
【請求項７】
請求項６に記載の情報処理方法において、
前記可視光信号は、前記広告情報の概要情報の格納先をさらに示し、
前記サーバは、前記概要情報の格納先から前記概要情報を取得し、
前記取得ステップにて取得された可視光信号から前記関連情報の格納先および前記概要情報の格納先を抽出する概要抽出ステップと、
前記概要抽出ステップにて抽出された概要情報の格納先から前記概要情報を取得する旨の概要取得要求を前記サーバに送信する概要送信ステップと、
前記サーバから前記概要情報を受信する概要受信ステップと、
前記概要受信ステップにて受信された概要情報と前記概要抽出ステップにて抽出された関連情報の格納先とを提示する概要提示ステップと、を含む情報処理方法。
【請求項８】
請求項５ないし７のいずれか１項に記載の情報処理方法において、
前記可視光信号は、前記出力装置の設置場所から前記広告情報の広告対象の提供場所への道筋をさらに示し、
前記取得ステップにて取得された可視光信号から前記道筋を抽出する道筋抽出ステップと、
前記道筋抽出ステップにて抽出された道筋を提示する道筋提示ステップと、を含む情報処理方法。
【請求項９】
広告情報と該広告情報の関連情報の格納先とを示す可視光信号を出力する出力装置から、前記可視光信号を取得するコンピュータに表示処理を実行させるプログラムであって、
前記可視光信号を取得する旨の信号取得要求を受け付ける入力処理と、
前記入力処理にて前記信号取得要求が受け付けられると、前記可視光信号を取得する取得処理と、
前記取得処理にて取得された可視光信号から前記格納先を抽出する抽出処理と、
前記抽出処理にて抽出された格納先を表示する格納先表示処理と、を含む表示処理を前記コンピュータに実行させるプログラム。
【発明の詳細な説明】
【技術分野】
【０００１】
本発明は、所定の情報を取得する携帯端末機、情報処理方法およびプログラムに関する。
【背景技術】
【０００２】
近年、広告情報を配信する大型ディスプレイが、屋外などに設置されている。
【０００３】
しかしながら、例えば、移動中の広告受信者などに、大型ディスプレイにて配信される広告情報を全て伝えることは困難であった。
【０００４】
特許文献１（特開２００４−１１０７５３号公報）には、大型ディスプレイにて配信される広告情報の関連情報を記憶するサーバが設けられた広告システムが記載されている。
【０００５】
この広告システムでは、サーバは、広告受信者を特定する識別子と関連情報の取得方法とを関連づけて記憶する。また、広告受信者は、大型ディスプレイにて配信された広告情報を認識すると、自己を特定する識別子を記録したＩＣカードなどを用いて、大型ディスプレイに接続された読み取り機に識別子を読み取らせる。サーバは、読み取り機が読み取った識別子と関連づけられた取得方法に従って、広告受信者に関連情報を配信する。
【特許文献１】特開２００４−１１０７５３号公報
【発明の開示】
【発明が解決しようとする課題】
【０００６】
特許文献１に記載の広告システムでは、取得方法として、所定の住所、ＦＡＸ番号あるいはメールアドレスへの資料の転送が用いられている。このため、広告受信者は、大型ディスプレイにて配信された広告情報を認識してから、関連情報を取得するまでに時間がかかる。
【０００７】
本発明の目的は、広告情報を取得してから該広告情報の関連情報を取得するまでの時間を短縮することが可能な携帯端末機、情報処理方法およびプログラムを提供することである。
【課題を解決するための手段】
【０００８】
前記目的を達成するために、本発明の携帯端末機は、広告情報と該広告情報の関連情報の格納先とを示す可視光信号を出力する出力装置から、前記可視光信号を取得する携帯端末機であって、前記可視光信号を取得する旨の信号取得要求を受け付ける入力手段と、前記入力手段にて前記信号取得要求が受け付けられると、前記可視光信号を取得する取得手段と、前記取得手段にて取得された可視光信号から前記格納先を抽出する制御手段と、前記制御手段にて抽出された格納先を表示する表示手段と、を含む。
【０００９】
また、本発明の情報処理方法は、広広告情報と該広告情報の関連情報の格納先とを示す可視光信号を出力する出力装置から、前記可視光信号を取得する携帯端末機が行なう情報処理方法であって、前記可視光信号を取得する旨の信号取得要求を受け付ける入力ステップと、前記入力ステップにて前記信号取得要求が受け付けられると、前記可視光信号を取得する取得ステップと、前記取得ステップにて取得された可視光信号から前記格納先を抽出する抽出ステップと、前記抽出ステップにて抽出された格納先を表示する表示ステップと、を含む。
【００１０】
上記の発明によれば、広告情報と関連情報の格納先とを示す可視光信号が取得される。また、取得された可視光信号から格納先が抽出され、抽出された格納先が表示される。
【００１１】
このため、ユーザは、広告情報を取得すると、その場で、表示された格納先（例えば、ＵＲＬにて示される）から関連情報を取得することが可能になる。よって、広告情報を取得してから該広告情報の関連情報を取得するまでの時間を短縮することが可能になる。
【００１２】
また、本発明では、前記携帯端末機は、前記格納先から前記関連情報を取得するサーバと接続され、前記表示された格納先から前記関連情報を取得する旨の関連取得要求が受け付けられ、前記関連取得要求が受け付けられると、前記関連取得要求が前記サーバに送信され、その後、前記サーバから前記関連情報が受信され、前記受信された関連情報が提示されることが望ましい。
【００１３】
上記の発明によれば、格納先が表示された後に、関連取得要求が受け付けられると、表示された格納先から関連情報が取得される。このため、ユーザは、格納先を表示する携帯端末機を用いて、関連情報を取得することが可能になる。
【００１４】
また、本発明では、前記可視光信号は、前記広告情報の概要情報の格納先をさらに示し、前記サーバは、前記概要情報の格納先から前記概要情報を取得し、前記可視光信号が取得されると、前記取得された可視光信号から前記関連情報の格納先および前記概要情報の格納先が抽出され、前記抽出された概要情報の格納先から前記概要情報を取得する旨の概要取得要求が前記サーバに送信され、その後、前記サーバから前記概要情報が受信され、前記受信された概要情報と前記抽出された関連情報の格納先とが提示されることが望ましい。
【００１５】
上記の発明よれば、取得された可視光信号から関連情報の格納先および概要情報の格納先が抽出され、抽出された概要情報の格納先から概要情報が取得される。また、抽出された関連情報の格納先と取得された概要情報が提示される。
【００１６】
このため、ユーザは、概要情報を確認した後に、関連情報を取得するか否かを判断することが可能になる。したがって、細やかなサービスを提供することが可能になる。
【００１７】
また、本発明では、前記可視光信号は、前記可視光信号は、前記出力装置の設置場所から前記広告情報の広告対象の提供場所への道筋をさらに示し、前記取得された可視光信号から前記道筋が抽出され、前記抽出された道筋が提示されることが望ましい。
【００１８】
上記の発明によれば、取得された可視光信号から道筋が抽出され、抽出された道筋が提示される。よって、ユーザを出力装置の設置場所から広告対象の提供場所（例えば、イベント会場）へ誘導することが可能になる。
【００１９】
また、本発明のプログラムは、広告情報と該広告情報の関連情報の格納先とを示す可視光信号を出力する出力装置から、前記可視光信号を取得するコンピュータに表示処理を実行させるプログラムであって、前記可視光信号を取得する旨の信号取得要求を受け付ける入力処理と、前記入力処理にて前記信号取得要求が受け付けられると、前記可視光信号を取得する取得処理と、前記取得処理にて取得された可視光信号から前記格納先を抽出する抽出処理と、前記抽出処理にて抽出された格納先を表示する格納先表示処理と、を含む表示処理を前記コンピュータに実行させる。
【００２０】
上記の発明によれば、上記の情報処理方法をコンピュータに実行させることが可能になる。
【発明の効果】
【００２１】
本発明によれば、広告情報を取得してから該広告情報の関連情報を取得するまでの時間を短縮することが可能になる。
【発明を実施するための最良の形態】
【００２２】
以下、本発明の実施例について図面を参照して説明する。
【００２３】
図１は、本発明の一実施例の情報配信システムを示したブロック図である。
【００２４】
図１において、情報配信システムは、携帯端末機１００と、出力装置２００ａおよび２００ｂと、情報サーバ３００と、無線基地局装置４００と、通信ネットワーク５００と、広告主端末機６００とを含む。なお、出力装置の数は、図１では２だが、実際には２に限定されない。
【００２５】
通信ネットワーク５００は、例えば、インターネットであり、出力装置２００ａおよび２００ｂと、情報サーバ３００と、無線基地局装置４００と、広告主端末機６００とを相互に接続する。
【００２６】
広告主端末機６００は、ユーザに配信する配信情報を記憶する。
【００２７】
配信情報は、出力装置２００ａおよび２００ｂにてユーザに配信する出力情報と、携帯端末機１００にてユーザに配信する携帯情報とを含む。
【００２８】
出力情報は、広告情報と、広告情報の関連情報の格納先を特定する関連アドレスと、広告情報の概要情報の格納先を特定する概要アドレスとを含む。
【００２９】
なお、広告情報は、映像情報と音声情報とを含む。
【００３０】
また、携帯情報は、広告情報の関連情報と、広告情報の概要情報とを含む。
【００３１】
関連情報は、例えば、広告情報の詳細情報、および、広告情報に関連した音楽コンテンツ（例えば、音声情報に含まれる楽曲）を含む。
【００３２】
概要情報は、例えば、詳細情報の要約情報、および、音楽コンテンツの一部である部分音楽コンテンツを含む。
【００３３】
情報サーバ３００は、広告端末機６００から配信情報を取得し、取得した配信情報を格納する。
【００３４】
図２は、情報サーバ３００の構成を示したブロック図である。図２において、情報サーバ３００は、入出力部３０１と、処理部３０２と、格納部３０３とを含む。
【００３５】
処理部３０２は、配信情報を、入出力部３０１および通信ネットワーク５００を介して広告主端末機６００から取得する。
【００３６】
処理部３０２は、広告主端末機６００から配信情報を取得すると、取得した配信情報を格納部３０３に格納する。
【００３７】
なお、処理部３０２は、取得した配信情報が含む関連情報を、取得した配信情報が含む関連アドレスにて特定される格納先に格納する。また、処理部３０２は、取得した配信情報が含む概要情報を、取得した配信情報が含む概要アドレスにて特定される格納先に格納する。
【００３８】
処理部３０２は、格納部３０３に格納された出力情報を、入出力部３０１および通信ネットワーク５００を介して出力装置２００ａおよび２００ｂの少なくとも一方に出力する。
【００３９】
出力装置２００ａおよび２００ｂは、例えば、大型ディスプレイを有する装置であり、屋外あるいは公共施設などに設置される。
【００４０】
図３は、出力装置２００ａおよび２００ｂの構成を示したブロック図である。以下では、出力装置２００ａおよび２００ｂは、同一の構成のため、出力装置２００ａを例に説明する。
【００４１】
図３において、出力装置２００ａは、入力部２０１と、管理部２０２と、出力部２０３とを含む。
【００４２】
入力部２０１は、情報サーバ３００から出力情報を受け付けると、受け付けた出力情報を管理部２０２に出力する。
【００４３】
管理部２０２は、入力部２０１から出力情報を受け付けると、受け付けた出力情報を出力部２０３に出力させる。
【００４４】
具体的には、出力部２０３は、可視光出力部２０４と、出力スピーカ２０５とを含む。
【００４５】
管理部２０２は、受け付けた出力情報に含まれる音声情報を出力スピーカ２０５に音声として出力させると共に、受け付けた出力情報に含まれる映像情報、関連アドレスおよび概要アドレスを可視光出力部２０４に可視光信号を用いて出力させる。
【００４６】
また、可視光出力部２０４は、映像出力部２０６と、信号出力部２０７とを含む。
【００４７】
映像出力部２０６は、例えば、ＬＥＤを光源とする大型のディスプレイである。
【００４８】
信号出力部２０７は、例えば、ＬＥＤを高速で点滅させて、所定の情報を、可視光を用いたデジタル信号で出力する。
【００４９】
管理部２０２は、受け付けた広告情報に含まれる映像情報、関連アドレスおよび概要アドレスと、を映像として出力させる。
【００５０】
あるいは、管理部２０２は、受け付けた出力情報に含まれる映像情報を映像として出力させると共に、受け付けた出力情報が含む関連アドレスおよび概要アドレスを、可視光を用いたデジタル信号で信号出力部２０７に出力させる。
【００５１】
無線基地局装置４００は、通信ネットワーク５００と携帯端末機１００とを接続する。
【００５２】
携帯端末機１００は、例えば、携帯電話機あるいはＰＤＡ（Ｐｅｒｓｏｎａｌ Ｄｉｇｉｔａｌ Ａｓｓｉｓｔａｎｃｅ）である。
【００５３】
図４は、携帯端末機１００の構成を示したブロック図である。
【００５４】
図４において、携帯端末機１００は、メモリ１０１と、制御部１０２と、操作部１０３と、カメラ１０４と、送受信部１０５と、提示部１０６とを含む。
【００５５】
メモリ１０１は、例えば、コンピュータにて読み取り可能な記録媒体であり、制御部１０２の動作を規定するプログラムを記録している。
【００５６】
制御部１０２は、例えば、コンピュータであり、メモリ１０１に記録されているプログラムを読み取り、読み取られたプログラムを実行する。
【００５７】
操作部１０３は、ユーザから出力装置２００ａあるいは２００ｂ（具体的には、可視光出力部２０４）が出力した可視光信号を取得する旨の信号取得要求を受け付けると、受け付けた信号取得要求を制御部１０２に出力する。
【００５８】
制御部１０２は、操作部１０３から信号取得要求を受け付けると、可視光出力部２０４が出力した可視光信号を、カメラ１０４に取得させる。
【００５９】
具体的には、制御部１０２は、映像表示部２０６が映像として出力した映像情報、関連アドレスおよび概要アドレスを、カメラ１０４に取得させる。あるいは、制御部１０２は、映像表示部２０６が映像として出力した映像情報と、信号出力部２０７がデジタル信号として出力した関連アドレスおよび概要アドレスと、をカメラ１０４に取得させる。
【００６０】
カメラ１０４は、可視光信号を取得すると、取得した可視光信号を制御部１０２に出力する。
【００６１】
制御部１０２は、カメラ１０４から可視光信号を受け付けると、受け付けた可視光信号から、関連アドレスおよび概要アドレスを抽出する。
【００６２】
具体的には、カメラ１０４が関連アドレスおよび概要アドレスを映像として取得すると、制御部１０２は、カメラ１０４から受け付けた可視光信号（映像）の画像認識を行なうことにより、受け付けた映像から関連アドレスおよび概要アドレスを抽出する。
【００６３】
一方、カメラ１０４が関連アドレスおよび概要アドレスをデジタル信号として取得すると、制御部１０２は、カメラ１０４から受け付けた可視光信号（デジタル信号）をデコードすることにより、受け付けたデジタル信号から関連アドレスおよび概要アドレスを抽出する。
【００６４】
送受信部１０５は、アンテナ１１０と、無線部１１１とを含む。
【００６５】
無線部１１１は、無線通信にて、アンテナ１１０を介して無線基地局装置４００と相互に接続する。
【００６６】
制御部１０２は、関連アドレスおよび概要アドレスを抽出すると、抽出した概要アドレスが特定する格納先から概要情報を取得する旨の概要取得要求を、無線部１１１に出力する。
【００６７】
無線部１１１は、制御部１０２から概要取得要求を受け付けると、受け付けた概要取得要求を、アンテナ１１０、無線基地局装置４００および通信ネットワーク５００を介して情報サーバ３００（具体的には、入出力部３０１）に送信する。
【００６８】
入出力部３０１は、無線部１１１から概要取得要求を受信すると、受信した概要取得情報を処理部３０２に出力する。
【００６９】
処理部３０２は、入出力部３０１から概要取得要求を受け付けると、受け付けた概要取得要求にて取得を要求された概要情報を格納部３０３から取得する。
【００７０】
処理部３０２は、格納部３０３から概要情報を取得すると、取得した概要情報を、入出力部３０１、通信ネットワーク５００、無線基地局装置４００およびアンテナ１１０を介して無線部１１１に送信する。無線部１１１は、処理部３０２から概要情報を受信すると、受信した概要情報を制御部１０２に出力する。
【００７１】
制御部１０２は、関連アドレス情報および概要アドレス情報を抽出した後で、無線部１１１から概要情報を受け付けると、受け付けた概要情報と抽出した関連アドレス情報とを、提示部１０６に提示させる。
【００７２】
具体的には、提示部１０６は、表示部１２０と、スピーカ１２１とを含む。
【００７３】
制御部１０２は、受け付けた概要情報が含む要約情報と、抽出した関連アドレス情報とを表示部１２０に表示させると共に、受け付けた概要情報が含む部分音楽コンテンツをスピーカ１２１に音声として出力させる。
【００７４】
なお、表示部１２０は、例えば、液晶ディスプレイである。
【００７５】
操作部１０３は、表示部１２０に表示された関連アドレスにて特定される格納先から関連情報を取得する旨の関連取得要求を受け付けると、受け付けた関連取得要求を制御部１０２に出力する。
【００７６】
制御部１０２は、操作部１０３から関連取得要求を受け付けると、受け付けた関連取得要求を無線部１１１に出力する。
【００７７】
無線部１１１は、制御部１０２から関連取得要求を受け付けると、受け付けた関連取得要求を、アンテナ１１０、無線基地局装置４００および通信ネットワーク５００を介して情報サーバ３００（具体的には、入出力部３０１）に送信する。入出力部３０１は、無線部１１１から関連取得要求を受信すると、受信した関連取得情報を処理部３０２に出力する。
【００７８】
処理部３０２は、入出力部３０１から関連取得要求を受け付けると、受け付けた関連取得要求にて取得を要求された関連情報を格納部３０３から取得する。
【００７９】
処理部３０２は、格納部３０３から関連情報を取得すると、取得した関連情報を、入出力部３０１、通信ネットワーク５００、無線基地局装置４００およびアンテナ１１０を介して無線部１１１に送信する。無線部１１１は、処理部３０２から関連情報を受信すると、受信した関連情報を制御部１０２に出力する。
【００８０】
制御部１０２は、無線部１１１から関連情報を受け付けると、受け付けた関連情報を提示部１０６に提示させる。
【００８１】
具体的には、制御部１０２は、受け付けた関連情報が含む詳細情報を表示部１２０に表示させると共に、受け付けた関連情報が含む音楽コンテンツをスピーカ１２１に音声として出力させる。
【００８２】
次に動作を説明する。
【００８３】
図５は、情報配信システムの動作を説明するためのフローチャートである。具体的には、情報サーバ３００が広告情報を配信してから携帯端末機１００が関連情報を提示するまでの動作を説明するためのフローチャートである。
【００８４】
情報サーバ３００の処理部３０２は、格納部３０３から出力情報を取得すると、ステップ５０１を実行する。
【００８５】
ステップ５０１では、処理部３０２は、取得した出力情報を、入出力部３０１、通信ネットワーク５００および入力部２０１を介して出力装置２００ａの管理部２０２に出力する。管理部２０２は、出力情報を受け付けると、ステップ５０２を実行する。
【００８６】
ステップ５０２では、管理部２０２は、受け付けた出力情報を出力部２０３に出力させる。
【００８７】
具体的には、管理部２０２は、受け付けた出力情報に含まれる音声情報を出力スピーカ２０５に音声として出力させると共に、受け付けた出力情報に含まれる映像情報、関連アドレスおよび概要アドレスを可視光出力部２０４に可視光信号として出力させる。
【００８８】
管理部２０２がステップ５０２を終了すると、携帯端末機１００の操作部１０３がステップ５０３を実行する。
【００８９】
ステップ５０３では、操作部１０３は、ユーザから信号取得要求を受け付けたか否かを確認する。操作部１０３は、信号取得要求を受け付けると、ステップ５０４を実行し、信号取得要求を受け付けないと、ステップ５０３を実行する。
【００９０】
ステップ５０４では、操作部１０３は、受け付けた信号取得要求を制御部１０２に出力する。
【００９１】
制御部１０２は、信号取得要求を受け付けると、カメラ１０４に出力装置２００ａあるいは２００ｂ（具体的には、可視光出力部２０４）が出力した可視光信号を取得させる。
【００９２】
カメラ１０４は、可視光信号を取得すると、取得した可視光信号を制御部１０２に出力する。制御部１０２は、可視光信号を受け付けると、ステップ５０５を実行する。
【００９３】
ステップ５０５では、制御部１０２は、受け付けた可視光信号から関連アドレスおよび概要アドレスを抽出する。制御部１０２は、関連アドレスおよび概要アドレスを抽出すると、ステップ５０６を実行する。
【００９４】
ステップ５０６では、制御部１０２は、抽出した概要アドレスが特定する格納先から概要情報を取得する旨の概要取得要求を無線部１１１に出力する。
【００９５】
無線部１１１は、概要取得要求を受け付けると、受け付けた概要取得要求を、アンテナ１１０、無線基地局装置４００および通信ネットワーク５００を介して情報サーバ３００の入出力部３０１に送信する。
【００９６】
入出力部３０１は、概要取得要求を受信すると、受信した概要取得要求を処理部３０２に出力する。処理部３０２は、概要取得要求を受け付けると、ステップ５０７を実行する。
【００９７】
ステップ５０７では、処理部３０２は、受け付けた概要取得要求にて取得を要求された概要情報を格納部３０３から取得する。処理部３０２は、概要情報を取得すると、ステップ５０８を実行する。
【００９８】
ステップ５０８では、処理部３０２は、取得した概要情報を、入出力部３０１、通信ネットワーク５００、無線基地局装置４００およびアンテナ１１０を介して携帯端末機１００の無線部１１１に送信する。
【００９９】
無線部１１１は、概要情報を受信すると、受信した概要情報を制御部１０２に出力する。制御部１０２は、概要情報を受け付けると、ステップ５０９を実行する。
【０１００】
ステップ５０９では、制御部１０２は、受け付けた概要情報および関連アドレスを提示部１０６に提示させる。制御部１０２がステップ５０９を終了すると、操作部１０３がステップ５１０を実行する。
【０１０１】
ステップ５１０では、操作部１０３は、関連取得要求を受け付けたか否かを確認する。操作部１０３は、関連取得要求を受け付けるとステップ５１１を実行し、関連取得要求を受け付けないとステップ５１０を実行する。
【０１０２】
ステップ５１１では、操作部１０３は、受け付けた関連取得要求を制御部１０２に出力する。
【０１０３】
制御部１０２は、関連取得要求を受け付けると、受け付けた関連取得要求を、無線部１１１に出力する。
【０１０４】
無線部１１１は、関連取得要求を受け付けると、受け付けた関連取得要求を、アンテナ１１０、無線基地局装置４００および通信ネットワーク５００を介して情報サーバ３００の入出力部３０１に送信する。
【０１０５】
入出力部３０１は、関連取得要求を受信すると、受信した関連取得要求を処理部３０２に出力する。処理部３０２は、関連取得要求を受け付けると、ステップ５１２を実行する。
【０１０６】
ステップ５１２では、処理部３０２は、受け付けた関連取得要求にて取得を要求された関連情報を格納部３０３から取得する。処理部３０２は、関連情報を取得すると、ステップ５１３を実行する。
【０１０７】
ステップ５１３では、処理部３０２は、取得した関連情報を、入出力部３０１、通信ネットワーク５００、無線基地局装置４００およびアンテナを介して携帯端末機１００の無線部１１１に送信する。
【０１０８】
無線部１１１は、関連情報を受信すると、受信した関連情報を制御部１０２に出力する。制御部１０２は、関連情報を受け付けると、ステップ５１４を実行する。
【０１０９】
ステップ５１４では、制御部１０２は、受け付けた関連情報を提示部１０６に提示させる。
【０１１０】
本実施例によれば、操作部１０３が信号取得要求を受け付けると、カメラ１０４は、出力装置２００ａあるいは２００ｂが出力した可視光信号を取得する。制御部１０２は、カメラ１０４が取得した可視光信号から関連アドレスを抽出する。表示部１２０は、制御部１０２が抽出した関連アドレスを表示する。なお、関連アドレスは、関連情報の格納先を特定する。
【０１１１】
したがって、広告情報と関連情報の格納先（関連アドレス）とを示す可視光信号が取得される。また、取得された可視光信号から格納先が抽出され、抽出された格納先が表示される。
【０１１２】
このため、ユーザは、広告情報を取得すると、その場で、表示された関連アドレスにて特定される格納先から関連情報を取得することが可能になる。よって、広告情報を取得してから該広告情報の関連情報を取得するまでの時間を短縮することが可能になる。
【０１１３】
また、本実施例では、操作部１０３が関連取得要求を受け付けると、送受信部１０５は、関連取得要求を情報サーバ３００に送信する。その後、送受信部１０５が情報サーバ３００から関連情報を受信すると、提示部１０６は、送受信部１０５が受信した関連情報を提示する。
【０１１４】
このため、関連アドレスが表示された後に、関連取得要求が受け付けられると、表示された関連アドレスが特定する格納先から関連情報が取得される。よって、ユーザは、関連アドレスを表示する携帯端末機１００を用いて、関連情報を取得することが可能になる。
【０１１５】
カメラ１０４が可視光信号を取得すると、制御部１０２は、カメラ１０４が取得した可視光信号から関連アドレスおよび概要アドレスを抽出する。送受信部１０５は、情報サーバ３００に概要取得要求を送信する。その後、送受信部１０５が情報サーバ３００から概要情報を受信すると、提示部１０６は、送受信部１０５が受信した概要情報と、制御部１０２が抽出した関連アドレスとを提示する。
【０１１６】
このため、取得された可視光信号から関連アドレスおよび概要アドレスが抽出され、抽出された概要アドレスが特定する格納先の概要情報が取得される。また、抽出された関連アドレスと取得された概要情報が提示される。
【０１１７】
よって、ユーザは、概要情報を確認した後に、関連情報を取得するか否かを判断することが可能になる。したがって、細やかなサービスを提供することが可能になる。
【０１１８】
次に、ユーザを、出力装置の設置場所から、広告情報の広告対象の提供場所に誘導可能な情報配信システムについて説明する。
【０１１９】
配信情報は、広告情報を配信する出力装置を特定する識別情報と、該識別情報が特定する出力装置の設置場所から該広告情報の広告対象の提供場所（例えば、販売店あるいはイベント会場）への道筋を示す道標情報とをさらに含む。
【０１２０】
道標情報は、例えば、「この道を右折後、２００ｍ」を示す。
【０１２１】
なお、出力装置は、所定の経路（例えば、駅からイベント会場までの経路）に沿って設置されることが望ましい。
【０１２２】
図６は、ユーザを、出力装置の設置場所から、広告情報の広告対象の提供場所に誘導可能な情報配信システムの動作を説明するためのフローチャートである。以下では、図５と異なる動作を中心に説明する。なお、図６において、図５と同一の処理については、同一の符号が付してある。
【０１２３】
情報サーバ３００の処理部３０２は、格納部３０３から出力情報および識別情報を取得すると、ステップ６０１を実行する。
【０１２４】
ステップ６０１では、処理部３０２は、取得した出力情報を、取得した識別情報が特定する出力装置の管理部２０２に、入出力部３０１、通信ネットワーク５００および入力部２０１を介して出力する。管理部２０２は、出力情報を受け付けるとステップ６０２を実行する。
【０１２５】
ステップ６０２では、管理部２０２は、受け付けた出力情報を出力部２０３に出力させる。
【０１２６】
具体的には、管理部２０２は、受け付けた出力情報に含まれる音声情報を出力スピーカ２０５に音声として出力させると共に、受け付けた出力情報に含まれる映像情報、道標情報、関連アドレスおよび概要アドレスを可視光出力部２０４に可視光信号として出力させる。
【０１２７】
なお、管理部２０２は、受け付けた出力情報が含む道標情報を映像表示部２０６に映像として出力させる。あるいは、管理部２０２は、受け付けた出力情報が含む道標情報を、可視光を用いたデジタル信号で信号出力部２０７に出力させる。
【０１２８】
管理部２０２がステップ６０２を終了すると、携帯端末機１００の操作部１０３がステップ５０３を実行する。
【０１２９】
その後、ステップ５０３およびステップ５０４が実行される。
【０１３０】
ステップ５０４では、制御部１０２が可視光信号を受け付けると、ステップ６０２を実行する。
【０１３１】
ステップ６０２では、制御部１０２は、受け付けた可視光信号から関連アドレス情報、概要アドレス情報および道標情報を抽出する。制御部１０２は、関連アドレス情報、概要アドレス情報および道標情報を抽出すると、ステップ６０３を実行する。
【０１３２】
ステップ６０３では、制御部１０２は、抽出した道標情報を提示部１０６に提示させる。
【０１３３】
具体的には、制御部１０２は、抽出した道標情報を表示部１２０に表示させる。あるいは、制御部１０２は、抽出した道標情報をスピーカ１２１に音声として出力させる。
【０１３４】
制御部１０２は、ステップ６０２を終了すると、ステップ５０６を実行する。
【０１３５】
その後、ステップ５０６ないしステップ５１４が実行される。
【０１３６】
本実施例では、制御部１０２は、カメラ１０４が取得した可視光信号から道標情報を抽出する。提示部１０６は、制御部１０２が抽出した道標情報を提示する。
【０１３７】
このため、ユーザを、出力装置の設置場所から、広告対象の提供場所へ誘導することが可能になる。
【０１３８】
以上説明した実施例において、図示した構成は単なる一例であって、本発明はその構成に限定されるものではない。
【図面の簡単な説明】
【０１３９】
【図１】本発明の一実施例の情報配信システムを示したブロック図である。
【図２】情報サーバの構成の一例を示したブロック図である。
【図３】出力装置の構成の一例を示したブロック図である。
【図４】携帯端末機の構成の一例を示したブロック図である。
【図５】情報配信システムの動作の一例を説明するためのフローチャートである。
【図６】情報配信システムの他の動作例を説明するためのフローチャートである。
【符号の説明】
【０１４０】
１００    携帯端末機
１０１    メモリ
１０２    制御部
１０３    操作部
１０４    カメラ
１０５    送受信部
１１０    アンテナ
１１１    無線部
１２０    表示部
１２１    スピーカ
２００ａ  出力装置
２００ｂ  出力装置
２０１    入力部
２０２    管理部
２０３    出力部
２０４    可視光出力部
２０５    出力スピーカ
２０６    映像表示部
２０７    信号出力部
３００    情報サーバ
３０１    入出力部
３０２    処理部
３０３    格納部
４００    無線基地局装置
５００    通信ネットワーク
６００    広告主端末機
【図１】
2007101587.tif 000003
【図２】
2007101587.tif 000004
【図３】
2007101587.tif 000005
【図４】
2007101587.tif 000006
【図５】
2007101587.tif 000007
【図６】
2007101587.tif 000008